(57)【要約】【課題】モータ始動電流領域での動作時間が従来に比べて遅く、低過電流領域及び短絡電流領域での動作時間が従来と同等である、引き外し装置および回路遮断器を提供する。【解決手段】感温磁性体で構成される磁気回路を利用し、プランジャをシリンダの底部側にひきつけることで、モータ始動電流領域での動作時間を遅延させる。【選択図】図１
2016136477.tif 000002
【特許請求の範囲】
【請求項１】
有底円筒状の非磁性材からなるシリンダと、
磁性体からなり、前記シリンダ内部に設けられたプランジャと、
前記プランジャを前記シリンダの底部となる後端側に向けて押す制動ばねと、
磁性体からなり前記シリンダの前端側の開口を密閉するポールヘッドと、
前記シリンダを巻くように設けられた電磁コイルと
磁性体からなり、前記電磁コイルの外側に設けられ、前記シリンダの軸方向と平行に配置された平行片と、前記シリンダに向かって延びる直角片とを有するヨークと、
磁性体からなり、前記ポールヘッド側へ回転運動できるような形で、前記ヨークに接続されているアマチュアと、を備え、
永久磁石からなり、前記プランジャの底部側に設けられ、前記プランジャに対して、前記シリンダ底側に向かう方向の磁気吸引力を与える吸引磁石と、
前記プランジャ及び前記吸引磁石の近傍に設けられ、キュリー温度付近で磁気特性が大きく変化する感温磁性体とを有し、
該感温磁性体が温度上昇することで非磁性になったときに、前記磁気吸引力が低下することを特徴とする電磁引き外し装置。
【請求項２】
前記感温磁性体が、
前記電磁コイルと
前記電磁コイルに電流を供給する主電路の
少なくともいずれか一方の近傍に設けられたことを特徴とする請求項１に記載の電磁引き外し装置。
【請求項３】
前記感温磁性体が、
前記電磁コイル又は、前記主電路に電気的に接続されたことを特徴とする請求項２に記載の電磁引き外し装置。
【請求項４】
前記感温磁性体が、前記シリンダの底面と前記吸引磁石との間に設けられたことを特徴とする請求項１〜３のいずれか１項に記載の電磁引き外し装置。
【請求項５】
磁性体からなる補足ヨークを有し、
前記吸引磁石と前記補足ヨークと前記プランジャと前記感温磁性体とによって閉磁路が形成されることを特徴とする請求項１〜３のいずれか１項に記載の電磁引き外し装置。
【請求項６】
複数の前記感温磁性体を備え、
前記吸引磁石と前記プランジャと前記感温磁性体とによって閉磁路が形成され、
前記感温磁性体の少なくとも一つが、前記主電路の通電時に温度上昇するように配置されたことを特徴とする請求項１〜３のいずれか１項に記載の電磁引き外し装置。
【請求項７】
前記シリンダの底部と前記プランジャとの間に弾性体が設けられたことを特徴とする請求項１〜６のいずれか１項に記載の電磁引き外し装置。
【請求項８】
前記弾性体が軟磁性材料であることを特徴とする請求項７に記載の電磁引き外し装置。
【請求項９】
請求項１〜８のいずれか１項に記載の電磁引き外し装置を備えた回路遮断器。
【発明の詳細な説明】
【技術分野】
【０００１】
本発明は、電磁引き外し装置および回路遮断器に関する。
【背景技術】
【０００２】
従来より、時延引外し要素としてオイルダッシュポット付き電磁石を用いた回路遮断器がある。（例えば、特許文献１を参照）。
【０００３】
即ち、電磁コイルに過電流が流れると磁性体であるプランジャが制動ばね（特許文献１の「ばね５３」に相当）のばね力に打ち勝ってポールヘッド側に動く。そして、ポールヘッドに接近するとプランジャの磁束量が大きくなり、磁性体であるアマチュア（特許文献１の「操作棒６２ａ」に相当）はポールヘッド側により強く吸引される。そして、アマチュアは回転運動し、配線用遮断器のラッチを外す。ラッチが外れることで、回路遮断器はトリップする。
【０００４】
オイルダッシュポット付き電磁石では、シリンダ内の制動油の粘性抵抗によるプランジャの制動を利用して反限時特性が得られる。一方、非常に大きな電流が流れると磁束が増大するため、プランジャがほとんど動かない状態でもアマチュアは瞬時に吸引され、回路遮断器はトリップする。
【先行技術文献】
【特許文献】
【０００５】
【特許文献１】特開２０１３−１４５６４３号公報
【発明の概要】
【発明が解決しようとする課題】
【０００６】
従来のモータに比べ、近年のトップランナーモータは、始動電流が大きい。従って、現行の回路遮断器では始動時に誤動作する可能性がある。そのため、モータ始動電流領域での動作時間を遅延させる必要がある。即ち、始動電流領域（定格電流に対し、６〜８倍程度）での動作時間を従来に比べて遅くし、低過電流領域（定格電流に対し、１．２５〜２倍程度）及び短絡電流領域（定格電流の約１５倍以上）での動作時間を従来と同等にする必要がある。
【０００７】
本発明は、上記事由に鑑みて為されたものであって、始動電流領域での動作時間が従来に比べて遅く、低過電流領域及び短絡電流領域での動作時間が従来と同等である、引き外し装置および回路遮断器を提供することを目的とする。
【課題を解決するための手段】
【０００８】
本発明の電磁引き外し装置は、有底円筒状の非磁性材からなるシリンダと、磁性体からなり、前記シリンダ内部に設けられたプランジャと、前記プランジャを前記シリンダの底部となる後端側に向けて押す制動ばねと、磁性体からなり前記シリンダの前端側の開口を密閉するポールヘッドと、前記シリンダを巻くように設けられた電磁コイルと磁性体からなり、前記電磁コイルの外側に設けられ、前記シリンダの軸方向と平行に配置された平行片と、前記シリンダに向かって延びる直角片とを有するヨークと、磁性体からなり、前記ポールヘッド側へ回転運動できるような形で、前記ヨークに接続されているアマチュアと、を備え、永久磁石からなり、前記プランジャの底部側に設けられ、前記プランジャに対して、前記シリンダ底側に向かう方向の磁気吸引力を与える吸引磁石と、前記プランジャ及び前記吸引磁石の近傍に設けられ、キュリー温度付近で磁気特性が大きく変化する感温
磁性体とを有し、該感温磁性体が温度上昇することで非磁性になったときに、前記磁気吸引力が低下することを特徴とする。
【０００９】
本発明の回路遮断器は、上記電磁引き外しを備えたことを特徴とする。
【発明の効果】
【００１０】
本発明では、始動電流領域での動作時間が従来に比べて遅く、低過電流領域及び短絡電流領域での動作時間が従来と同等である、電磁引き外し装置および回路遮断器を提供することができる。
【図面の簡単な説明】
【００１１】
【図１】実施形態１に係る電磁引き外し装置の構成図である。
【図２】実施形態１に係る電磁引き外し装置の感温磁性体９が非磁性体になったときの磁束を示す図である。
【図３】実施形態２に係る電磁引き外し装置の構成図である。（ａ）は、感温磁性体９が磁性体であるときの磁束を示す図である。（ｂ）は、感温磁性体９が非磁性体になったときの磁束を示す図である。
【図４】実施形態３に係る電磁引き外し装置の構成図である。
【図５】実施形態４に係る電磁引き外し装置の構成図である。
【図６】実施形態１〜４に係る電磁引き外し装置を回路遮断器に搭載したときの構成図である。
【発明を実施するための形態】
【００１２】
（実施形態１）
以下、実施形態１に係る電磁引き外し装置１００について、図１、図２を用いて説明する。
＜構成＞
図１は、実施形態１に係る電磁引き外し装置１００の構成図である。図１に示すように、電磁引き外し装置１００は、有底円筒状の非磁性材からなるシリンダ１と、シリンダ１の内部に設けられたプランジャ２と、プランジャ２をシリンダ１の底部向きに押す制動ばね３と、シリンダ１を密閉するポールヘッド４と、シリンダ１を巻くように設けられた電磁コイル５と、略Ｌ字型の磁性体からなるヨーク６と、磁性体からなりポールヘッド４側へ回転運動可能なアマチュア７とからなる。
【００１３】
プランジャ２は断面が略円形である略軸対称形状であり、制動ばね３の一端が接触する径が太い部分（太径部２ａ）と、制動ばね３の内径より径が細い突出部２ｂとからなる。突出部２ｂは、制動ばね３の内側に入り込む構成になっている。
【００１４】
シリンダ１の底部と反対側は、ポールヘッド４が設けられ、プランジャ２と制動ばね３は、シリンダ１とポールヘッド４が囲む空間に収納される。通常、シリンダ１とポールヘッド４が囲む空間は、密閉状態であり、オイルなどの液体が充填されているが、本発明は、液体が充填されていない構成も含むものである。
【００１５】
ヨーク６は、略Ｌ字型の磁性体からなり、シリンダ１の軸に対して平行に配置された平行片６ａとシリンダ１の軸に対して直角方向に延びる直角片６ｂを有する。また、直角片６ｂはプランジャ２側に延びており、シリンダ１に接続されている。なお、本発明では、ヨーク６は後述するようにプランジャ２と磁路を形成するように配置されていればよく、シリンダ１に必ずしも固定されていなくてもよい。
【００１６】
電磁コイル５は、プランジャ２とヨーク６に挟まれる形で、シリンダ１を巻くように設
けられている。また、電磁コイル５は、主電路１１に接続されている。実施形態１では、電磁コイル５と主電路１１は同一部材で一体構成されている。なお、本発明では、電磁コイル５と主電路１１が別部材であり、電気的に接続された構成であってもよい。
【００１７】
アマチュア７は、通常、磁性体からなる。アマチュア７は、ポールヘッド４側へ回転運動できるような形で、ヨーク６の平行片６ａに接続されている。
【００１８】
吸引磁石８は、永久磁石からなり、シリンダ１の底部側に設けられている。吸引磁石８は、プランジャ２の軸方向と平行な方向（図１の図中の矢印で示した方向）に磁化されており、プランジャ２を磁気吸引することで、プランジャ２に対して、シリンダ１の底側に向かう方向の磁気吸引力を与える。
【００１９】
感温磁性体９は、シリンダ１の底部と吸引磁石８との間に設けられている。感温磁性体９は、使用温度の下限温度Ｔ１と上限温度Ｔ２との間にキュリー温度を持ち、かつキュリー温度近傍でその磁気特性（透磁率、磁束密度、保磁力など）が急変するものである。即ち、感温磁性体９は、キュリー温度以下の場合は、磁気的に磁性体としての特性を持ち、キュリー温度以上の場合は、非磁性体になるものである。
【００２０】
図１に示すように、感温磁性体９は、主電路１１に直接接続されており、主電路に流れる電流が感温磁性体９に流れるようになっている。なお、本発明では、感温磁性体９は、非金属などの絶縁部材を介して主電路１１に接続されていてもよい。また、本発明では、感温磁性体９は、必ずしも主電路１１に接続されていなくてもよい。即ち、感温磁性体９と、主電路１１または電磁コイル５との間に隙間があってもよく、主電路１１や電磁コイル５の通電時に発生する熱によって感温磁性体９が加熱されるように、感温磁性体９が、主電路１１や電磁コイル５の近傍に配置される構成であってもよい。
【００２１】
補助ヨーク１０は、磁性体で形成されており、吸引磁石８に対して感温磁性体９と反対側に設けられている。補助ヨーク１０は、プランジャ２に作用する吸引磁石８の吸引力を強めるために設けるものであり、本発明では、補助ヨークを有しない構成であってもよい。
＜動作＞
以下、電磁コイル５に流れる電流が低過電流領域の場合における実施形態１に係る電磁引き外し装置１００の動作を図１、図２に基づいて説明する。
【００２２】
電磁コイル５に電流が流れると、磁束が形成される。磁束は、ポールヘッド４とアマチュア７とヨーク６とプランジャ２とによって形成される磁路を通過する。図１に示すように、ポールヘッド４とプランジャ２の突出部２ｂとの間にはギャップが形成されているので、ポールヘッド４とプランジャ２との間には磁気吸引力が働く。即ち、プランジャ２には、ポールヘッド４側に移動する方向の力が働く。
【００２３】
プランジャ２に働く磁気吸引力が、制動ばね３がプランジャ２を押す力より大きくなると、プランジャ２はポールヘッド４側に移動し始める。プランジャ２の移動に伴い、ポールヘッド４とプランジャ２（突出部２ｂ）の間のギャップは小さくなる。ギャップが小さくなれば、ポールヘッド４とアマチュア７とヨーク６、プランジャ２とによって形成される磁気回路の抵抗は小さくなるので、磁束は大きくなる。
【００２４】
磁束が大きくなることで、更にプランジャ２に働く磁気吸引力が大きくなり、ポールヘッド４とプランジャ２の間のギャップが更に小さくなる。以上の繰り返しによりギャップは徐々に小さくなっていくとともに、磁束は大きくなっていく。低過電流領域の場合は、プランジャ２の突出部２ｂがポールヘッド４と接触又は近接する位置にまで達すると、ア
マチュア７にもポールヘッド４側に向かう大きな吸引力が働き、アマチュア７は回転運動し、ポールヘッド４側に吸着される。回路遮断器の機構部のラッチ５０（図６参照）がアマチュア７によって押されると、回路遮断器は動作する。
【００２５】
以下、電磁コイル５に流れる電流が始動電流領域の場合における実施形態１に係る電磁引き外し装置１００の動作を説明する。
【００２６】
電磁コイル５に電流が流れると、磁束が形成される。磁束は、ポールヘッド４とアマチュア７とヨーク６とプランジャ２とによって形成される磁路を通過する。ポールヘッド４とプランジャ２との間、及びアマチュア７とポールヘッド４との間には、それぞれギャップが形成されている。従って、電磁コイル５に電流が流れると、磁気吸引力により、プランジャ２及びアマチュア７には、ポールヘッド４側に移動する方向の力が働く。
【００２７】
低過電流領域の場合に比べ、始動電流領域の場合は、電磁コイル５に流れる電流が大きいので、より大きな磁束が得られる。即ち、ポールヘッド４とプランジャ２との間のギャップがある程度小さくなれば、アマチュア７はポールヘッド４側に移動し始める。始動電流領域の場合、ポールヘッド４とプランジャ２との間のギャップが、無通電の場合のギャップの約７０％になった場合、アマチュア７は回路遮断器の機構部のラッチ５０（図６参照）を押し、回路遮断器は動作する。
【００２８】
以下、電磁コイル５に流れる電流が短絡電流領域の場合における実施形態１に係る電磁引き外し装置１００の動作を説明する。
【００２９】
電磁コイル５に流れる電流が短絡電流領域の場合は、ポールヘッド４とプランジャ２との間のギャップが小さくならなくとも大きな磁束が得られ、通電開始から比較的短い時間で、アマチュア７は回転運動し、ポールヘッド４側に吸着される。一方、プランジャ２は、シリンダ１内部に存在する流体の粘性の影響で、アマチュア７ほど短い時間では動作することはできない。従って、アマチュア７が回転運動し、ポールヘッド４側に吸着されたときには、プランジャ２は、図１に示すように、まだシリンダ１の底側に停留している状態になっている。
＜作用＞
以下、実施形態１の吸引磁石８、感温磁性体９の作用について述べる。
【００３０】
過電流が流れる前は、電磁コイル５、主電路１１、感温磁性体９に流れる電流が小さく、感温磁性体９はキュリー温度以下である。従って、このとき感温磁性体９は磁性体としての性質を有する。従って、吸引磁石８の磁束は、図１の破線に示すように、感温磁性体９を通過し、プランジャ２のシリンダ１底部側を通過し、吸引磁石８に戻る。従って、プランジャ２には吸引磁石８側へ向かう吸引力が働いている。
【００３１】
過電流が流れると、電磁コイル５、主電路１１からの伝導熱や輻射熱、感温磁性体９のジュール発熱が原因で、感温磁性体９の温度は上昇し、感温磁性体９はキュリー温度以上になる。このとき感温磁性体９は非磁性体としての性質を有する。従って、吸引磁石８の磁束は、図２の破線に示すように、感温磁性体９から吸引磁石８に戻る。従って、プランジャ２には吸引磁石８側へ向かう吸引力は、ほとんど働かない。
＜効果＞
以下、実施形態１の電磁引き外し装置の効果について述べる。比較例となる電磁引き外し装置は、吸引磁石８、感温磁性体９、補助ヨーク１０を有しないものである。
【００３２】
低過電流領域では、通電開始から１０秒程度（定格電流に対し、２倍程度の通電の場合）〜３０秒程度（定格電流に対し、１．２５倍程度の通電の場合）で、感温磁性体９はキ
ュリー温度以上になる。従って、この時点で感温磁性体９は非磁性体としての性質を有することとなり、プランジャ２には吸引磁石８側へ向かう吸引力は、ほとんど働かなくなる。
【００３３】
従って、感温磁性体９がキュリー温度以上になった時点以降は、吸引磁石８、感温磁性体９、補助ヨーク１０を有しない比較例の電磁引き外し装置と同じ時延特性となる。
【００３４】
一方、比較例の電磁引き外し装置を搭載したブレーカは、通電開始から１分程度（定格電流に対し、２倍程度の通電の場合）〜６分程度（定格電流に対し、１．２５倍程度の通電の場合）でトリップ動作する。
【００３５】
従って、実施形態１の電磁引き外し装置を搭載したブレーカの場合は、感温磁性体９は非磁性体としての性質を有することとなるまでの時間を考慮すると、通電開始から１分１０秒程度（定格電流に対し、２倍程度の通電の場合）〜６分３０秒程度（定格電流に対し、１．２５倍程度の通電の場合）でトリップ動作することになる。
【００３６】
すなわち、実施形態１の電磁引き外し装置を搭載したブレーカの場合は、比較例の電磁引き外し装置の場合に比べ、低過電流領域での動作時間は１０％程度遅くなるものの、ほぼ同等の動作時間が得られることになる。
【００３７】
始動電流領域では、通電開始から３秒程度（定格電流に対し、８倍程度の通電の場合）〜５秒程度（定格電流に対し、６倍程度の通電の場合）で、感温磁性体９はキュリー温度以上になる。従って、この時点で感温磁性体９は非磁性体としての性質を有することとなり、プランジャ２には吸引磁石８側へ向かう吸引力は、ほとんど働かなくなる。従って、感温磁性体９がキュリー温度以上になった時点以降は、吸引磁石８、感温磁性体９を有しない比較例の電磁引き外し装置と同じ時延特性となる。
【００３８】
一方、比較例の電磁引き外し装置を搭載したブレーカは、通電開始から３秒程度（定格電流に対し、８倍程度の通電の場合）〜７秒程度（定格電流に対し、６倍程度の通電の場合）でトリップ動作する。
【００３９】
従って、実施形態１の電磁引き外し装置を搭載したブレーカは、通電開始から６秒程度（定格電流に対し、８倍程度の通電の場合）〜１２秒程度（定格電流に対し、６倍程度の通電の場合）でトリップ動作することになる。
【００４０】
従って、比較例の電磁引き外し装置の場合に比べ、実施形態１の電磁引き外し装置を搭載したブレーカの場合は、始動電流領域での動作時間は２００％程度となり遅くなる。
【００４１】
短絡電流領域では、電流が非常に大きいので、電磁コイル５によって発生する磁束は非常に大きい。従って、アマチュア７に作用する磁気吸引力は、ヨーク６とプランジャ２との距離には依存しない。従って、実施形態１の電磁引き外し装置を回路遮断器に搭載した場合、短絡電流領域では、回路遮断器の動作時間は、比較例と同等になる。
（実施形態２）
以下、実施形態２に係る電磁引き外し装置について、図３を用いて説明する。
＜構成＞
以下、実施形態２に係る電磁引き外し装置の構成について説明する。なお、実施形態１と同一の構成要素については、その説明を割愛する。
【００４２】
吸引磁石８は、永久磁石からなり、シリンダ１の底部側に設けられている。吸引磁石８は、磁束の向きがプランジャ２の軸方向に対して直角になるように磁化されている。すな
わち、図３（ａ）の図中の矢印に示された方向に磁化されている。
【００４３】
図３に示すように、感温磁性体９は、主電路１１に直接接続されており、主電路１１に流れる電流が感温磁性体９に流れるようになっている。なお、本発明では、感温磁性体９は、非金属などの絶縁部材を介して主電路１１に接続されていてもよい。また、本発明では、感温磁性体９は、必ずしも主電路１１に接続されていなくてもよい。即ち、感温磁性体９と主電路１１や電磁コイル５との間に隙間があっても良く、主電路１１や電磁コイル５の通電時に発生する熱によって感温磁性体９が加熱されるように、感温磁性体９が、主電路１１や電磁コイル５の近傍に配置される構成であってもよい。
【００４４】
補足ヨーク１３は、磁性体からなり、感温磁性体９に対向する位置に設けられている。シリンダ１の底部と吸引磁石８は、補足ヨーク１３と感温磁性体９との間に挟まれるように配置されており、吸引磁石８、補足ヨーク１３、プランジャ２の太径部２ａと感温磁性体９によって、閉磁路が形成される。
＜動作＞
実施形態１の場合と同様なので、割愛する。
＜作用＞
以下、実施形態１の吸引磁石８、感温磁性体９の作用について述べる。
【００４５】
過電流が流れる前は、電磁コイル５、主電路１１、感温磁性体９に流れる電流が小さく、感温磁性体９はキュリー温度以下である。従って、このとき感温磁性体９は磁性体としての性質を有する。従って、吸引磁石８の磁束は、図３（ａ）の破線に示すように、補足ヨーク１３、プランジャ２のシリンダ１底部側、感温磁性体９を通過し、吸引磁石８に戻る。従って、プランジャ２には吸引磁石８側へ向かう吸引力が働いている。
【００４６】
過電流が流れると、電磁コイル５、主電路１１からの伝導熱や輻射熱、感温磁性体９のジュール発熱が原因で、感温磁性体９の温度は上昇し、感温磁性体９はキュリー温度以上になる。このとき感温磁性体９は非磁性体としての性質を有する。感温磁性体９が非磁性体になれば、感温磁性体９部分には磁束が流れ難くなる。従って、吸引磁石８の磁束は、図３（ｂ）の破線に示すように、補足ヨーク１３から吸引磁石８に戻る。従って、プランジャ２には吸引磁石８側へ向かう吸引力は、ほとんど働かなくなる。
＜効果＞
実施形態１の場合と同様であるので詳細は割愛する。
【００４７】
比較例の電磁引き外し装置の場合に比べ、実施形態１の電磁引き外し装置のを搭載したブレーカの場合は、低過電流領域での動作時間は１０％程度遅くなるものの、ほぼ同等の動作時間が得られる。
【００４８】
始動電流領域では、比較例の電磁引き外し装置の場合に比べ、実施形態１の電磁引き外し装置を搭載したブレーカの場合は、動作時間は２００％程度となり遅くなる。
【００４９】
短絡電流領域では、アマチュア７に作用する磁気吸引力は、ヨーク６とプランジャ２との距離には依存しないので、実施形態２の電磁引き外し装置を回路遮断器に搭載した場合でも、回路遮断器の動作時間は、比較例と同等になる。
（実施形態３）
以下、実施形態３に係る電磁引き外し装置について、図４を用いて説明する。
【００５０】
以下、実施形態３に係る電磁引き外し装置の構成について説明する。なお、実施形態２と同一の構成要素については、その説明を割愛する。
【００５１】
実施形態３では、実施形態２の補足ヨーク１３の代わりに、感温磁性体９が配置されている。つまり、対向する一対の感温磁性体９を有する構成となっている。
【００５２】
図４に示すように、感温磁性体９は、主電路１１に直接接続されており、主電路１１に流れる電流が感温磁性体９に流れるようになっている。なお、本発明では、感温磁性体９は、非金属などの絶縁部材を介して主電路１１に接続されていてもよい。また、本発明では、感温磁性体９は、必ずしも主電路１１に接続されていなくてもよい。即ち、感温磁性体９と主電路１１や電磁コイル５との間に隙間があっても良く、主電路１１や電磁コイル５の通電時に発生する熱によって感温磁性体９が加熱されるように、感温磁性体９が、主電路１１や電磁コイル５の近傍に配置される構成であってもよい。
【００５３】
シリンダ１の底部と吸引磁石８は、一対の感温磁性体９との間に挟まれるように配置されており、吸引磁石８、プランジャ２の太径部２ａと感温磁性体９によって、閉磁路が形成される。
【００５４】
動作、作用、効果は、実施形態２の場合と同等なので、割愛する。
（実施形態４）
以下、実施形態４に係る電磁引き外し装置について、図５を用いて説明する。
【００５５】
実施形態４は、実施形態１の構成に加え、プランジャ２とシリンダ１の底部との間に弾性体１２を設けたものである。弾性体１２を設けることで、実施形態１〜３で述べた効果に加え、プランジャ２がシリンダ１の底部に衝突することで生じるうなり音の発生を抑制することができる。
【００５６】
なお、吸引磁石８がプランジャ２を吸引する力を強くするためには、弾性体１２は軟磁性材料であることが好ましい。
【００５７】
また、本発明の電磁引き外し装置は、実施例２、３の構成に弾性体１２を設けるものであってもよい。
（実施形態５）
図６に実施形態１に係る電磁引き外し装置１００を搭載した回路遮断器の構成図を示す。ハンドル５２を操作することで、接点５３は閉じ、閉路状態になる。過電流が流れると、アマチュア７がプランジャ２側に移動し、アマチュア７はラッチ５０を押す。ラッチ５０が押されることで、メカ５１は動作し、接点５３が開極する。
【００５８】
なお、本発明の回路遮断器は、実施例２〜４の電磁引き外し装置を搭載した回路遮断器であってもよい。
（結び）
以上のように、本発明における技術の例示として、実施形態を説明した。そのために、添付図面および詳細な説明を提供した。
【００５９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６０】
また、上述の実施形態は、本発明における技術を例示するためのものであるから、特許請求の範囲またはその均等の範囲において種々の変更、置き換え、付加、省略などを行うことができる。
【符号の説明】
【００６１】
１  シリンダ
２  プランジャ
２ａ  太径部
２ｂ  突出部
３  制動ばね
４  ポールヘッド
５  電磁コイル
６  ヨーク
６ａ  平行片
６ｂ  直角片
７  アマチュア
８  吸引磁石
９  感温磁性体
１０  補助ヨーク
１１  主電路
１２  弾性体
１３  補足ヨーク
５０  ラッチ
５１  メカ
５２  ハンドル
５３  接点
１００  電磁引き外し装置
【図１】
2016136477.tif 000003
【図２】
2016136477.tif 000004
【図３】
2016136477.tif 000005
【図４】
2016136477.tif 000006
【図５】
2016136477.tif 000007
【図６】
2016136477.tif 000008